【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
現像装置であって、
像担持体に形成された静電像を現像する位置に現像剤を担持し搬送する現像回転体と、
前記現像回転体に対向して配置され、前記現像回転体に担持される現像剤の量を前記現像回転体に最も近接する位置で規制するための規制部を含む樹脂製の規制ブレードと、
前記規制ブレードを取り付けるための取付部と、前記現像回転体に前記現像剤が供給される第１室と、隔壁により前記第１室と区画された第２室と、を有し、前記現像剤を収容する樹脂製の現像枠体と、
前記第１室に配置され、前記現像剤を第１方向に搬送する第１搬送スクリューと、
前記第２室に配置され、前記現像剤を前記第１方向とは反対方向である第２方向に搬送する第２搬送スクリューと、
を備え、
前記規制ブレードは、接着剤を用いて、前記取付部に取り付けられており、
前記現像装置は、前記現像回転体の回転軸線方向に関して前記像担持体の最大画像領域に対応する部分を備え、
前記現像装置の前記部分を、前記現像回転体の回転軸線と前記像担持体の回転軸線とを含む第１平面によって、前記規制部を有するパートと、前記規制部を有しないパートとに仕切り、
且つ、
前記規制部を有するパートを、前記第１搬送スクリューの回転軸線を含む平面であって前記第１平面と垂直な第２平面によって、第１パートと、第２パートとに仕切った場合に、
前記第１パートは、前記取付部を有しておらず、且つ、ゲート部を有しており、
前記第２パートは、前記取付部を有しており、且つ、ゲート部を有していない
ことを特徴とする現像装置。
【請求項２】
前記第２パートにおいて、前記規制ブレードは、接着剤を用いて、前記取付部の全域に亘って取り付けられている
ことを特徴とする請求項１に記載の現像装置。
【請求項３】
前記第１パートは、複数のゲート部のすべてを有しており、
前記第２パートは、複数のゲート部のいずれも有していない
ことを特徴とする請求項１又は２に記載の現像装置。
【請求項４】
前記規制部は、前記現像回転体の回転軸線よりも鉛直方向下方に在る
ことを特徴とする請求項１乃至３のいずれか１項に記載の現像装置。
【請求項５】
前記最大画像領域に対応する前記部分における前記現像回転体の回転軸線方向の長さは、Ａ３サイズに対応する長さである
ことを特徴とする請求項１乃至４のいずれか１項に記載の現像装置。
【請求項６】
前記現像枠体とは分離された樹脂製のカバー枠体を更に備え、
前記カバー枠体は、前記第１室をカバーし、且つ、前記第２室をカバーする
ことを特徴とする請求項１乃至５のいずれか１項に記載の現像装置。
【請求項７】
前記規制ブレードは、撓ませることが可能な剛性を有する
ことを特徴とする請求項１乃至６のいずれか１項に記載の現像装置。
【請求項８】
現像装置であって、
像担持体に形成された静電像を現像する位置に現像剤を担持し搬送する現像回転体と、
前記現像回転体に対向して配置され、前記現像回転体に担持される現像剤の量を前記現像回転体に最も近接する位置で規制するための規制部を含む樹脂製の規制ブレードと、
前記規制ブレードを取り付けるための取付部と、前記現像回転体に前記現像剤が供給される第１室と、隔壁により前記第１室と区画された第２室と、を有し、前記現像剤を収容する樹脂製の現像枠体と、
前記第１室に配置され、前記現像剤を第１方向に搬送する第１搬送スクリューと、
前記第２室に配置され、前記現像剤を前記第１方向とは反対方向である第２方向に搬送する第２搬送スクリューと、
を備え、
前記規制部は、前記現像回転体の回転軸線よりも鉛直方向下方に在り、
前記現像装置は、前記現像回転体の回転軸線方向に関して前記像担持体の最大画像領域に対応する部分を備え、
前記現像装置の前記部分を、前記現像回転体の回転軸線と前記像担持体の回転軸線とを含む第１平面によって、前記規制部を有するパートと、前記規制部を有しないパートとに仕切り、
且つ、
前記規制部を有するパートを、前記第１搬送スクリューの回転軸線を含む平面であって前記第１平面と垂直な第２平面によって、第１パートと、第２パートとに仕切った場合に、
前記第１パートは、前記取付部を有しておらず、且つ、ゲート部を有しており、
前記第２パートは、前記取付部を有しており、且つ、ゲート部を有していない
ことを特徴とする現像装置。
【請求項９】
前記第１パートは、複数のゲート部のすべてを有しており、
前記第２パートは、複数のゲート部のいずれも有していない
ことを特徴とする請求項８に記載の現像装置。
【請求項１０】
前記最大画像領域に対応する前記部分における前記現像回転体の回転軸線方向の長さは、Ａ３サイズに対応する長さである
ことを特徴とする請求項８又は９に記載の現像装置。
【請求項１１】
前記現像枠体とは分離された樹脂製のカバー枠体を更に備え、
前記カバー枠体は、前記第１室をカバーし、且つ、前記第２室をカバーする
ことを特徴とする請求項８乃至１０のいずれか１項に記載の現像装置。
【請求項１２】
前記規制ブレードは、撓ませることが可能な剛性を有する
ことを特徴とする請求項８乃至１１のいずれか１項に記載の現像装置。
【手続補正２】
【補正対象書類名】明細書
【補正対象項目名】０００９
【補正方法】変更
【補正の内容】
【０００９】
上記目的を達成するために本発明の一態様に係る現像装置は以下のような構成を備える。即ち、現像装置であって、像担持体に形成された静電像を現像する位置に現像剤を担持し搬送する現像回転体と、前記現像回転体に対向して配置され、前記現像回転体に担持される現像剤の量を前記現像回転体に最も近接する位置で規制するための規制部を含む樹脂製の規制ブレードと、前記規制ブレードを取り付けるための取付部と、前記現像回転体に前記現像剤が供給される第１室と、隔壁により前記第１室と区画された第２室と、を有し、前記現像剤を収容する樹脂製の現像枠体と、前記第１室に配置され、前記現像剤を第１方向に搬送する第１搬送スクリューと、前記第２室に配置され、前記現像剤を前記第１方向とは反対方向である第２方向に搬送する第２搬送スクリューと、を備え、前記規制ブレードは、接着剤を用いて、前記取付部に取り付けられており、前記現像装置は、前記現像回転体の回転軸線方向に関して前記像担持体の最大画像領域に対応する部分を備え、前記現像装置の前記部分を、前記現像回転体の回転軸線と前記像担持体の回転軸線とを含む第１平面によって、前記規制部を有するパートと、前記規制部を有しないパートとに仕切り、且つ、前記規制部を有するパートを、前記第１搬送スクリューの回転軸線を含む平面であって前記第１平面と垂直な第２平面によって、第１パートと、第２パートとに仕切った場合に、前記第１パートは、前記取付部を有しておらず、且つ、ゲート部を有しており、前記第２パートは、前記取付部を有しており、且つ、ゲート部を有していないことを特徴とする。また、上記目的を達成するために本発明の他態様に係る現像装置は以下のような構成を備える。即ち、現像装置であって、像担持体に形成された静電像を現像する位置に現像剤を担持し搬送する現像回転体と、前記現像回転体に対向して配置され、前記現像回転体に担持される現像剤の量を前記現像回転体に最も近接する位置で規制するための規制部を含む樹脂製の規制ブレードと、前記規制ブレードを取り付けるための取付部と、前記現像回転体に前記現像剤が供給される第１室と、隔壁により前記第１室と区画された第２室と、を有し、前記現像剤を収容する樹脂製の現像枠体と、前記第１室に配置され、前記現像剤を第１方向に搬送する第１搬送スクリューと、前記第２室に配置され、前記現像剤を前記第１方向とは反対方向である第２方向に搬送する第２搬送スクリューと、を備え、前記規制部は、前記現像回転体の回転軸線よりも鉛直方向下方に在り、前記現像装置は、前記現像回転体の回転軸線方向に関して前記像担持体の最大画像領域に対応する部分を備え、前記現像装置の前記部分を、前記現像回転体の回転軸線と前記像担持体の回転軸線とを含む第１平面によって、前記規制部を有するパートと、前記規制部を有しないパートとに仕切り、且つ、前記規制部を有するパートを、前記第１搬送スクリューの回転軸線を含む平面であって前記第１平面と垂直な第２平面によって、第１パートと、第２パートとに仕切った場合に、前記第１パートは、前記取付部を有しておらず、且つ、ゲート部を有しており、前記第２パートは、前記取付部を有しており、且つ、ゲート部を有していないことを特徴とする。